(57)【特許請求の範囲】
【請求項１】
ばら貨幣が入金される第１入金口が形成され、前記第１入金口から入金されたばら貨幣を１枚ずつ計数するための計数部と、前記計数部によって計数されたばら貨幣を収納するための第１収納庫とを有するばら貨幣処理ユニットと、
所定数のばら貨幣をまとめて包装することによって構成された包装貨幣が入金される第２入金口が形成され、包装貨幣を収納するための第２収納庫を有する包装貨幣処理ユニットと、
前記包装貨幣処理ユニットでの処理中におけるエラーを検知するエラー検知手段と、
前記エラー検知手段がエラーを検知したことに応じて、エラー解除により機外へ取り出された包装貨幣がばら貨幣にばらされてから機内に戻されるように、前記第２入金口を閉じて前記第１入金口を開き、前記第１入金口からの戻し入れを受け付ける制御手段と、
を含むことを特徴とする、貨幣処理装置。
【請求項２】
前記第１入金口から入金されたばら貨幣を前記第１収納庫に収納する戻し処理を実行する戻し制御手段と、
前記第１収納庫におけるばら貨幣の在庫数と前記第２収納庫における包装貨幣の在庫数とを管理する在庫数管理手段と、
前記戻し制御手段が前記戻し処理を実行したことに応じて、前記戻し処理で前記第１収納庫に収納されたばら貨幣の数に応じて、前記第２収納庫の在庫数を減算して前記第１収納庫の在庫数を加算する在庫数更新手段と、
を含むことを特徴とする、請求項１記載の貨幣処理装置。
【請求項３】
前記エラー解除により機外へ取り出された包装貨幣を前記第２入金口から入金するか、ばら貨幣にばらしてから前記第１入金口から入金するかを選択するための選択手段を含み、
前記エラー解除により機外へ取り出された包装貨幣を前記第２入金口から入金することが前記選択手段によって選択された場合に、前記制御手段は、前記第２入金口からの戻し入れを受け付けることを特徴とする、請求項１記載の貨幣処理装置。
【請求項４】
前記第１入金口から入金されたばら貨幣を前記包装貨幣処理ユニットまで搬送する搬送手段と、
前記包装貨幣処理ユニットに設けられ、前記搬送手段によって搬送されたばら貨幣を包装して包装貨幣にする包装手段と、
を含むことを特徴とする、請求項１記載の貨幣処理装置。
【発明の詳細な説明】
【技術分野】
【０００１】
この発明は、貨幣の入出金を行うことができる貨幣処理装置に関する。
【背景技術】
【０００２】
従来より、銀行等の金融機関で使用され、貨幣の入出金を行うことができる出納機等の貨幣処理装置が知られている（たとえば、特許文献１参照）。
特許文献１では、硬貨用釣銭機が提案されている。この硬貨用釣銭機には、投入された硬貨を受け入れる硬貨受入部と、受け入れられた硬貨を金種別に収納する硬貨収納部と、硬貨収納部に収納された硬貨を機外へ放出する硬貨放出部と、硬貨受入部と硬貨収納部との間や、硬貨収納部と硬貨放出部との間をむすぶ硬貨搬送路とが設けられている。硬貨受入部に受け入れられた硬貨は、硬貨搬送路内を搬送され、その途中で硬貨計数部によって計数されてから、硬貨収納部に収納される。硬貨収納部に収納された硬貨は、硬貨搬送路によって硬貨放出部まで搬送された後に、硬貨放出部から機外へ放出される。
【０００３】
この硬貨用釣銭機では、硬貨が硬貨搬送路を通過している途中にエラーが生じた場合には、硬貨搬送路内（硬貨収納部外）に残留した硬貨（残留硬貨）を取り除いて機内に戻す処理が可能である。具体的には、エラーが発生したときに、係員が残留硬貨を取り除いて硬貨受入部に投入する。硬貨受入部に投入された硬貨は、硬貨計数部によって計数されてから、硬貨収納部に戻される。
【先行技術文献】
【特許文献】
【０００４】
【特許文献１】特開２０１０−７２８１２号公報
【発明の概要】
【発明が解決しようとする課題】
【０００５】
特許文献１の硬貨用釣銭機のように、残留硬貨を取り除いて機内に戻す処理が可能な構成において、取り扱い対象が包装貨幣（例えば、所定数の１００枚毎にまとまった状態で帯封された紙幣や、所定数の５０枚毎に包装された硬貨）である場合には、機内に戻す貨幣について、管理上の問題が生じ得る。
具体的には、ばら硬貨やばら紙幣の場合には、これらのばら貨幣は、機内に戻されたときに１枚ずつ計数されるので、エラーの際に取り除かれた貨幣の数と機内に戻された貨幣の数とは整合する。しかし、包装貨幣の場合には、機内に戻された各包装貨幣において、ばら貨幣が何らかの原因で何枚か抜けていれば、エラーの際に取り除かれた包装貨幣と機内に戻された包装貨幣との数は整合するものの、エラーの際に取り除かれた（包装貨幣を構成する）ばら貨幣の総数と、機内に戻された（包装貨幣を構成する）ばら貨幣の総数とが整合しない。つまり、包装貨幣を機内に戻す場合には、機内に戻された包装貨幣のそれぞれに、前記所定数のばら貨幣が含まれているか否かがわからない。これでは、貨幣を厳格に管理することが困難である。
【０００６】
この発明は、かかる背景のもとでなされたもので、包装貨幣を取り扱う構成において、エラーの際に取り出された貨幣を機内へ戻す場合に当該貨幣を厳格に管理することができる貨幣処理装置を提供することを目的とする。
【課題を解決するための手段】
【０００７】
請求項１記載の発明は、ばら貨幣が入金される第１入金口が形成され、前記第１入金口から入金されたばら貨幣を１枚ずつ計数するための計数部と、前記計数部によって計数されたばら貨幣を収納するための第１収納庫とを有するばら貨幣処理ユニットと、所定数のばら貨幣をまとめて包装することによって構成された包装貨幣が入金される第２入金口が形成され、包装貨幣を収納するための第２収納庫を有する包装貨幣処理ユニットと、前記包装貨幣処理ユニットでの処理中におけるエラーを検知するエラー検知手段と、前記エラー検知手段がエラーを検知したことに応じて、エラー解除により機外へ取り出された包装貨幣がばら貨幣にばらされてから機内に戻されるように、前記第２入金口を閉じて前記第１入金口を開き、前記第１入金口からの戻し入れを受け付ける制御手段と、を含むことを特徴とする、貨幣処理装置である。
【０００８】
請求項２記載の発明は、前記第１入金口から入金されたばら貨幣を前記第１収納庫に収納する戻し処理を実行する戻し制御手段と、前記第１収納庫におけるばら貨幣の在庫数と前記第２収納庫における包装貨幣の在庫数とを管理する在庫数管理手段と、前記戻し制御手段が前記戻し処理を実行したことに応じて、前記戻し処理で前記第１収納庫に収納されたばら貨幣の数に応じて、前記第２収納庫の在庫数を減算して前記第１収納庫の在庫数を加算する在庫数更新手段と、を含むことを特徴とする、請求項１記載の貨幣処理装置である。
【０００９】
請求項３記載の発明は、前記エラー解除により機外へ取り出された包装貨幣を前記第２入金口から入金するか、ばら貨幣にばらしてから前記第１入金口から入金するかを選択するための選択手段を含み、前記エラー解除により機外へ取り出された包装貨幣を前記第２入金口から入金することが前記選択手段によって選択された場合に、前記制御手段は、前記第２入金口からの戻し入れを受け付けることを特徴とする、請求項１記載の貨幣処理装置である。
【００１０】
請求項４記載の発明は、前記第１入金口から入金されたばら貨幣を前記包装貨幣処理ユニットまで搬送する搬送手段と、前記包装貨幣処理ユニットに設けられ、前記搬送手段によって搬送されたばら貨幣を包装して包装貨幣にする包装手段と、を含むことを特徴とする、請求項１記載の貨幣処理装置である。
【発明の効果】
【００１１】
請求項１記載の発明によれば、包装貨幣処理ユニットでの処理中に発生したエラーの解除により包装貨幣が機外へ取り出された場合、当該包装貨幣を機内に戻すためには、ばら貨幣にばらしてからばら貨幣処理ユニットの第１入金口に入金しなければならない。そのため、当該包装貨幣を構成する全てのばら貨幣が、第１入金口から入金されて計数部によって１枚ずつ計数される。つまり、当該包装貨幣を機内に戻す場合には、当該包装貨幣を構成する全てのばら貨幣に対して機械的なチェック（装置によるチェック）が実施される。これにより、エラーの解除により機外へ取り出された包装貨幣を構成する全てのばら貨幣が正しく機内に戻されたのか否かを確認することができる。その結果、貨幣処理装置では、エラーの際に取り出された貨幣を機内へ戻す場合に当該貨幣を厳格に管理することができる。
【００１２】
請求項２記載の発明によれば、包装貨幣処理ユニットでの処理中に発生したエラーの解除により機外へ取り出された包装貨幣を機内に戻すと、当該包装貨幣を構成するばら貨幣が、戻し処理によって第１収納庫に収納される。これに応じて、在庫数管理手段において、第２収納庫の在庫数が減算されて第１収納庫の在庫数が加算されるので、第１収納庫および第２収納庫のそれぞれにおける在庫数が正しく更新される。そのため、包装貨幣処理ユニットでのエラーの前後に亘って、第１収納庫および第２収納庫のそれぞれにおける在庫数を正確に管理することができる。
【００１３】
請求項３記載の発明によれば、エラー解除により機外へ取り出された包装貨幣を、包装貨幣のままの状態で第２入金口から入金するか（包装貨幣処理ユニットに直接戻すか）、ばら貨幣にばらしてから第１入金口から入金するか（ばら貨幣処理ユニットに戻すか）を、状況に応じて任意に選択することができるので、使い勝手がよい。
請求項４記載の発明によれば、エラー解除により機外へ取り出された包装貨幣は、ばら貨幣にばらされた状態で機内に戻されても、包装手段によって元通りの状態（包装貨幣の状態）に戻される。そのため、エラー解除により機外へ取り出された包装貨幣を、元通りの状態に戻してから第２収納庫に収納し直すことができるので、包装貨幣処理ユニットでエラーが発生しても、包装貨幣処理ユニットをエラー発生前の状態に戻すことができる。
【図面の簡単な説明】
【００１４】
【図１】図１は、この発明の一実施形態に係る貨幣処理装置１の正面側の外観を示す斜視図である。
【図２】図２は、貨幣処理装置１におけるばら紙幣処理ユニット２の模式的な縦断面図である。
【図３】図３は、貨幣処理装置１における包装紙幣処理ユニット３の模式的な縦断面図である。
【図４】図４は、貨幣処理装置１の制御回路ブロック図であり、この発明の特徴と関連する部分のみを示すブロック図である。
【図５】図５は、貨幣処理装置１において行われる制御動作の一例を示すフローチャートである。
【図６】図６は、貨幣処理装置１の表示部７の表示内容の一例を示す図である。
【図７】図７は、貨幣処理装置１の表示部７の表示内容の別の例を示す図である。
【発明を実施するための形態】
【００１５】
以下には、図面を参照して、この発明の実施形態について具体的に説明する。
図１は、この発明の一実施形態に係る貨幣処理装置１の正面側の外観を示す斜視図である。
図１に示す貨幣処理装置１は、たとえば、銀行等に設置される出納機である。
貨幣処理装置１は、ばら紙幣処理ユニット２（ばら貨幣処理ユニット）と、包装紙幣処理ユニット３（包装貨幣処理ユニット）と、包装硬貨処理ユニット４（包装貨幣処理ユニット）と、ばら硬貨処理ユニット５（ばら貨幣処理ユニット）とを含んでいる。これらの処理ユニットは、図１における左側から順に、包装紙幣処理ユニット３、ばら紙幣処理ユニット２、包装硬貨処理ユニット４、ばら硬貨処理ユニット５の順で配置されている。それぞれの処理ユニットは、対応する貨幣（硬貨または紙幣）の入出金処理を行う。ここで、ばら紙幣は、１枚毎に分離した状態の個々の紙幣を指していて、包装紙幣は、所定数毎にまとめられて帯封（包装）された紙幣（まとまった紙幣の束）を指していて、単に「束」と呼ばれることもある。同様に、ばら硬貨は、１枚毎に分離した状態の個々の硬貨を指していて、包装硬貨は、所定数毎にまとめられて包装された硬貨（硬貨のまとまりによって構成された棒状体）を指している。包装紙幣および包装硬貨は、ばら貨幣（ばら紙幣およびばら硬貨のうち対応する方）を所定数毎にまとめて包装することによって構成された包装貨幣に含まれる。
【００１６】
貨幣処理装置１は、その上部に、貨幣処理装置１に所定の処理を実行させるために係員によって操作される操作部６と、必要な情報が表示される表示部７とを主に備えている。表示部７は、たとえば液晶のタッチパネルである。
図２は、貨幣処理装置１におけるばら紙幣処理ユニット２の模式的な縦断面図である。
図２を参照して、ばら紙幣処理ユニット２は、その筐体１０内に、入金部１１と、複数（ここでは５つ）のカセット１２（第１収納庫）と、複数（ここでは２つ）の整理一時保留部１３と、出金リジェクト部１４と、入金リジェクト部１５と、搬送機構１６とを備えている。
【００１７】
筐体１０の正面（図２では左面）上部には、シャッター１７によって開閉される入金口１８（第１入金口）が形成されていて、入金部１１と入金リジェクト部１５とが上下に並んで入金口１８に臨むように配置されている。複数のカセット１２は、前後方向（図２の左右方向）に並んで配置されていて、各カセット１２には、予め定められた金種のばら紙幣が収納される。また、各カセット１２の上部には、入金された紙幣を一時的に収納する一時保留部（図示せず）が設けられており、係員の承認で（カセット１２の）下部に収納される。なお、いずれかのカセット１２は、全ての金種についての損券（傷んだ紙幣）を専用に収納するためのものであってもよい。
【００１８】
筐体１０内において、入金部１１と各カセット１２とは、入金路１９でつながっている。入金路１９は、入金部１１から延び、カセット１２の手前でカセット１２毎に分岐して、対応するカセット１２に対して別々につながっている。入金路１９の途中には、紙幣の金種、正損、真偽および表裏を識別する識別部２０（計数部）が設けられている。入金路１９において識別部２０よりもカセット１２側には、Ｖ字に折れ曲がった反転路２１が並列的に接続されている。入金路１９において識別部２０と反転路２１との間から、入金リジェクト路２２が分岐して、入金リジェクト部１５につながっている。
【００１９】
入金処理の場合、まず、ばら紙幣Ｓが、開放された入金口１８から入金部１１に入金された後、入金路１９を流れてカセット１２側へ搬送される。その途中で、識別部２０によってばら紙幣Ｓの識別が行われ、偽札等であると識別されたばら紙幣Ｓは、入金リジェクト路２２から入金リジェクト部１５まで搬送され、入金口１８から返却される。表裏が逆であると識別されたばら紙幣Ｓは、一旦反転路２１でスイッチバックされて表裏が直されてから、入金路１９に合流する。そして、入金路１９においてカセット１２の手前まで流れてきたばら紙幣Ｓは、対応する金種のカセット１２に収納されたり、損券専用のカセット１２に収納されたりする（損券の場合）。これにより、ばら紙幣処理ユニット２における入金処理が完了する。
【００２０】
また、ばら紙幣処理ユニット２は、その筐体１０内に、出金部２３を備えている。筐体１０の上面には、シャッター２４によって開閉される出金口２５が形成されていて、出金部２３が出金口２５に臨むように配置されている。筐体１０内において、各カセット１２と出金部２３とは、出金路２６でつながっている。出金路２６は、各カセット１２から個別に延びてから１つに合流し、出金部２３まで延びている。出金路２６の途中には、識別部２７が設けられている。識別部２７の機能は、前述した識別部２０とほぼ同じである。出金路２６において識別部２７よりも出金部２３側の部分からは、３つの分岐路２８が分岐している。３つの分岐路２８のうち、１つは、一方の整理一時保留部１３に接続され、他の１つは、他方の整理一時保留部１３に接続され、残りの１つは、出金リジェクト部１４に接続されている。出金路２６において識別部２７と分岐路２８（識別部２７に最も近い分岐路２８）との間の部分と、入金路１９において反転路２１とカセット１２との間の部分とは、中継路２９によってショートカットされている。
【００２１】
出金処理の場合、各カセット１２に収納されたばら紙幣Ｓが、必要に応じて、カセット１２から繰り出されて出金路２６を流れる。その途中で、ばら紙幣Ｓは、識別部２７による識別を受ける。損券等であると識別されたばら紙幣Ｓは、分岐路２８を介して出金リジェクト部１４に収納され、所定のタイミングで回収される。問題のないばら紙幣Ｓは、出金部２３まで搬送されて出金口２５から外部に出金され、これにより、ばら紙幣処理ユニット２における出金処理が完了する。
【００２２】
また、出金処理とは別の処理として、各カセット１２に収納されたばら紙幣Ｓが、分岐路２８を介して整理一時保留部１３に収納されることがある。整理一時保留部１３に収納されたばら紙幣Ｓは、積層状態で収納される。なお、入金部１１に入金されたばら紙幣Ｓが、カセット１２を介さずに、中継路２９経由で入金路１９から出金路２６に受け渡されて整理一時保留部１３に収納されることもある。ここで、搬送機構１６は、整理一時保留部１３に収納されたばら紙幣Ｓの積層方向（ここでは筐体１０の上下方向）に移動可能な一対のアーム３０を備えていて、筐体１０内で整理一時保留部１３の後側に配置されている。所定枚数まで積層されたばら紙幣Ｓは、まとまった状態（積層状態）で一対のアーム３０によって挟持され、整理一時保留部１３から取り出される。搬送機構１６は、取り出したばら紙幣Ｓのまとまりを、ばら紙幣処理ユニット２の隣の包装紙幣処理ユニット３まで搬送する。
【００２３】
図３は、貨幣処理装置１における包装紙幣処理ユニット３の模式的な縦断面図である。
図３を参照して、包装紙幣処理ユニット３は、その筐体４０内に、帯封機構４１（包装手段）と、第１搬送機構４２と、リフト４３と、第２搬送機構４４と、複数（ここでは５つ）のカセット４５（第２収納庫）とを含んでいる。また、包装紙幣処理ユニット３は、ばら紙幣処理ユニット２との間で搬送機構１６を共有している。つまり、搬送機構１６は、ばら紙幣処理ユニット２および包装紙幣処理ユニット３のどちらにも属している。搬送機構１６は、筐体４０内では、奥寄り（筐体４０の後側（図３の右側））に配置される。
【００２４】
帯封機構４１は、搬送機構１６によってばら紙幣処理ユニット２から包装紙幣処理ユニット３まで搬送されてきたばら紙幣Ｓのまとまりを受け取って帯封（包装）するためのものであって、筐体４０内において、搬送機構１６の前側（図３の左側）に位置している。帯封機構４１の構成として、公知の構成を用いることができる。帯封機構４１によって帯封されたばら紙幣Ｓのまとまりは、前述した包装紙幣（束）Ｔとなる。帯封機構４１がばら紙幣Ｓのまとまりを受け取って帯封する処理を、「帯封処理」ということにする。
【００２５】
第１搬送機構４２は、筐体４０内において帯封機構４１の前側に設けられている。第１搬送機構４２は、上下一対のベルトユニット４６を含む。各ベルトユニット４６は、前後に離れて配置された一対のローラ４７と、これらのローラ４７に掛け回された無端状のベルト４８と有する。図３を基準として側面視において、上側のベルトユニット４６のベルト４８は時計回りに周回移動し、下側のベルトユニット４６のベルト４８は反時計回りに周回移動する。そのため、帯封機構４１による帯封を終えた束Ｔは、周回移動する上下のベルト４８の間において前側へ搬送される。
【００２６】
ここで、筐体４０内の前寄りには、上下に延びる移動スペース４９が形成されている（１点鎖線で囲んだ部分を参照）。移動スペース４９の上下方向寸法は、筐体４０の内部空間の上下方向寸法とほぼ同じである。束Ｔは、上下のベルト４８によって、移動スペース４９へ向けて搬送される。
リフト４３は、水平方向に平坦に延びるベース５０と、ベース５０上に積層された載置板５１とを含んでいる。載置板５１は、その前端部の支点７７を中心として、ベース５０と平行な水平位置（実線の載置板５１を参照）と、後側へ向かうのに従ってベース５０から浮くように傾斜した傾斜位置（点線の載置板５１を参照）との間で回動可能である。リフト４３全体は、移動スペース４９内で上下移動可能である。図３に示されたときのリフト４３の上下方向位置を、待機位置ということにする。リフト４３は、待機位置を下限として、待機位置から移動スペース４９内の任意の位置まで上昇することができる。
【００２７】
ここで、筐体４０の正面上部には、シャッター５２によって開閉される入出金口５３（第２入金口）が形成されている。入出金口５３と移動スペース４９の上端部とは連通している。また、筐体４０の正面下部において、待機位置のリフト４３と上下方向で同じ位置には、投出口６５が形成されている。この実施形態では、投出口６５を開閉するシャッターを筐体４０に設けていないが、このシャッターを設けても構わない。
【００２８】
第２搬送機構４４は、前後に離れて配置された一対のローラ５４と、これらのローラ５４に掛け回された無端状のベルト５５とを有する。ベルト５５は、筐体４０の前後方向において長く、その前端部は、移動スペース４９内にまではみ出ていて、その後端部は、筐体４０の後端部の近傍に配置されている。ベルト５５は、図３における側面視において時計回りおよび反時計回りの両方向に周回移動することができる。ベルト５５の外周面には、複数の突起５６が設けられている。複数の突起５６は、ベルト５５の周方向（周回移動方向）において等間隔で配置されている。また、第２搬送機構４４は、ベルト５５の内側の一対のローラ５４の間における前側のローラ５４の近傍（移動スペース４９から離れた位置）に配置された１本の支点ローラ５７をさらに有している。ここで、当該前側のローラ５４と、ベルト５５において支点ローラ５７よりも当該前側のローラ５４側の部分とのまとまりを、回動ユニット５８ということにする。回動ユニット５８は、支点ローラ５７を支点として、水平方向に延びて移動スペース４９内にはみ出した進出位置（実線で示した回動ユニット５８を参照）と、移動スペース４９から退避して略垂直に延びた退避位置（２点鎖線で示した回動ユニット５８を参照）との間で回動可能である。第２搬送機構４４には、回動ユニット５８を回動させる駆動機構（モータ等）が含まれている。移動スペース４９内でリフト４３が上下移動している間、回動ユニット５８は、退避位置にある。
【００２９】
複数のカセット４５は、上下方向に長手のボックス状であって、筐体４０の前後方向に並んで配置されている。各カセット４５は、筐体４０に対して着脱可能である。筐体４０の側壁には、着脱されるカセット４５を通過させる開口（図示せず）が形成されている。各カセット４５では、上面に、出入口５９が形成されているとともに、出入口５９を開閉するカセットシャッター６０が設けられている（図３における最も左側のカセット４５を参照）。原則として、各カセット４５内には、同一金種の紙幣からなる束Ｔが、上下に積層された状態で収納される。各カセット４５内には、ステージ６４が設けられている。ステージ６４の上面は、水平方向に平坦である。各カセット４５内に積層状態で収納された束Ｔは、ステージ６４上に載置され、ステージ６４によって下側から支えられている。ステージ６４は、束Ｔが載置された状態で、カセット４５内で上下移動可能である。
【００３０】
ここで、前述した第２搬送機構４４のベルト５５は、筐体４０内の全てのカセット４５の真上に位置していて、これらのカセット４５を上方から前後方向において跨るように配置されている。
筐体４０内において、各カセット４５の真上かつベルト５５よりも低い位置には、本体シャッター６１が１つずつ設けられている。そして、筐体４０内には、ガイド部材６２が設けられている。ガイド部材６２は、水平に延びる板状である。ガイド部材６２は、隣り合う本体シャッター６１の間や、移動スペース４９に最も近い本体シャッター６１から移動スペース４９までの間を塞いでいる。ガイド部材６２と本体シャッター６１とのまとまりは、水平に延びる１枚の板状をなしていて、ベルト５５の下側外周面に対して隙間を隔てて下から対向しており、当該隙間は、束搬送路６３となっている。束搬送路６３は、筐体４０内の全てのカセット４５の真上に位置していて、これらのカセット４５を上方から跨るように前後（水平）に延びている。
【００３１】
次に、包装紙幣処理ユニット３における束Ｔの流れについて説明する。
帯封機構４１からの束Ｔは、前述したように、第１搬送機構４２の上下のベルト４８によって、移動スペース４９へ向けて搬送される。このとき、移動スペース４９内のリフト４３は、第１搬送機構４２の位置まで上昇していて、この位置で待機している。第１搬送機構４２によって移動スペース４９まで搬送された束Ｔは、リフト４３に受け渡され、水平位置の載置板５１上に載せられる。
【００３２】
その後、リフト４３は、移動スペース４９内において、束搬送路６３より少し低い位置まで下降する。リフト４３の下降が終わったとき、リフト４３上の束Ｔは、束搬送路６３と上下方向において同じ位置にある。次いで、今まで退避位置にあった回動ユニット５８が進出位置まで回動し、第２搬送機構４４のベルト５５が、図３における反時計回りに周回移動する。これにより、ベルト５５のいずれかの突起５６がリフト４３上の束Ｔに引っ掛かり、この束Ｔを束搬送路６３内へ取り込む。引き続きベルト５５が周回移動することによって、この束Ｔは、束搬送路６３内において移動スペース４９から離れる方向へ搬送される。そして、この束Ｔが、この束Ｔと同一金種の束Ｔを収納するカセット４５の真上まで搬送されると、この束Ｔの搬送（ベルト５５の周回移動）がストップする。
【００３３】
次いで、図３における右から２つ目のカセット４５を参照して、束搬送路６３内の束Ｔの真下のカセット４５におけるステージ６４が上昇し、この束Ｔの真下の本体シャッター６１および当該カセット４５のカセットシャッター６０の両方が開く。これにより、束搬送路６３内の束Ｔは、落下して、先ほど上昇してきたステージ６４（ステージ６４上に既に束Ｔが積層されている場合には、最上位の束Ｔ）に受け止められる。そして、このステージ６４が下降すると、今まで束搬送路６３内にあった束Ｔは、出入口５９を経てカセット４５内に収納された状態になる。このように、帯封を終えた束Ｔは、対応するカセット４５に収納される。
【００３４】
また、カセット４５内から束Ｔを出金する場合、当該カセット４５におけるカセットシャッター６０と、このカセット４５の真上の本体シャッター６１との両方が開く。次いで、当該カセット４５内のステージ６４が上昇し、ステージ６４に積層された束Ｔにおける最上位の束Ｔが、カセット４５の出入口５９を介して束搬送路６３内まで押し上げられる。この状態で、第２搬送機構４４のベルト５５が、図３における時計回りに周回移動する。これにより、ベルト５５のいずれかの突起５６がこの束Ｔに引っ掛かり、この束Ｔを束搬送路６３内において移動スペース４９側へ搬送する。このとき、第２搬送機構４４では、回動ユニット５８は、進出位置にあり、リフト４３は、移動スペース４９内において、束搬送路６３より少し低い位置で待機している。また、束Ｔが移動スペース４９側へ搬送されると、この束Ｔを今まで収納していたカセット４５のステージ６４が下降するとともに、今まで開いていたカセットシャッター６０および本体シャッター６１の両方が閉じる。
【００３５】
そして、この束Ｔが、移動スペース４９内まで搬送されると、この束Ｔの搬送（ベルト５５の周回移動）はストップし、この束Ｔは、真下のリフト４３に受け渡され、水平位置の載置板５１上に載せられる。同様の手順で、カセット４５内の束Ｔが１つずつ繰り出されて束搬送路６３内を搬送され、リフト４３の載置板５１上に積層される。
リフト４３への束Ｔの積み込みが完了した後、今まで進出位置にあった回動ユニット５８が退避位置まで回動し、リフト４３は、移動スペース４９内において、上限位置（移動スペース４９の上端）まで上昇する。この状態で、シャッター５２が開いて入出金口５３が開放され、係員によって、リフト４３上の束Ｔが取り出される。これによって、カセット４５内の束Ｔの出金が完了する。
【００３６】
または、リフト４３は、移動スペース４９内において、待機位置まで下降する。下降後、リフト４３の載置板５１が水平位置から傾斜位置まで傾斜し、載置板５１上の束Ｔが、載置板５１を滑り落ちて投出口６５から機外に投出される。これによっても、カセット４５内の束Ｔが出金される。
また、包装紙幣処理ユニット３に束Ｔを入金することもできる。その場合、リフト４３が前記上限位置（移動スペース４９の上端）で待機した状態で、シャッター５２が開いて入出金口５３が開放され、係員によって、入出金口５３から束Ｔが入金され、リフト４３上にセットされる。その後、係員による操作部６（図１参照）の操作等に応じて、シャッター５２が閉じる。その後は、帯封機構４１からの束Ｔがカセット４５に収納される場合と同様の手順で、リフト４３上にセットされた束Ｔが、収納先のカセット４５に収納される。
【００３７】
ここで、包装紙幣処理ユニット３において、入金（カセット４５への束Ｔの収納）や出金（カセット４５の束Ｔの機外への払い出し）のために束Ｔを筐体１０内で移動させる処理を、「通常処理」ということにする。
次に、貨幣処理装置１の電気的構成について説明する。
図４は、貨幣処理装置１の制御回路ブロック図であり、この発明の特徴と関連する部分のみを示すブロック図である。
【００３８】
図４を参照して、貨幣処理装置１は、マイクロコンピュータ等で構成された制御部７０（エラー検知手段、制御手段、戻し制御手段、在庫数更新手段）を備えている。制御部７０は、包装紙幣処理ユニット３の動作を制御する。
制御部７０には、ばら紙幣処理ユニット２、包装紙幣処理ユニット３、包装硬貨処理ユニット４およびばら硬貨処理ユニット５のそれぞれが電気的に接続されている。また、制御部７０には、前述した搬送機構１６が電気的に接続されている。ここで、搬送機構１６は、前述したようにばら紙幣処理ユニット２および包装紙幣処理ユニット３のどちらにも属していることから、説明の便宜上、図４では、単独で示している。また、制御部７０には、必要な情報を記憶するメモリ部７２（在庫数管理手段）が電気的に接続されている。
【００３９】
ばら紙幣処理ユニット２では、主に、紙幣搬送機構７１、ならびに、前述したシャッター１７および識別部２０，２７のそれぞれが、制御部７０に接続されている。紙幣搬送機構７１とは、ばら紙幣処理ユニット２内でばら紙幣Ｓを移動させるための機構（ばら紙幣Ｓを搬送するローラを回転駆動させるモータ等）である。ここで、紙幣搬送機構７１と搬送機構１６とは、ばら紙幣処理ユニット２の入金口１８から入金されたばら紙幣Ｓを包装紙幣処理ユニット３まで搬送する搬送手段を構成している。
【００４０】
包装紙幣処理ユニット３では、ジャムセンサ７３（エラー検知手段）および識別部８３、ならびに、前述した帯封機構４１、第１搬送機構４２、第２搬送機構４４、リフト４３、本体シャッター６１、シャッター５２およびカセット４５のそれぞれが、制御部７０に接続されている。ジャムセンサ７３は、たとえばフォトインタラプタであって、包装紙幣処理ユニット３内で束Ｔが移動する領域（第１搬送機構４２や移動スペース４９や束搬送路６３）に、１つまたは複数配置されている（図３参照）。ジャムセンサ７３は、当該領域内における束Ｔの詰まり（ジャム）を検出することができる。識別部８３の機能は、前述した識別部２０や２７とほぼ同じである。図３を参照して、識別部８３は、移動スペース４９に対して最寄りの位置にあるガイド部材６２（図３における最も左側のガイド部材６２）に取り付けられていて、束搬送路６３内に下から臨んでいる。束搬送路６３内で搬送される束Ｔが識別部８３を通過する際、識別部８３は、束Ｔにおいて識別部８３側の紙幣（最下位の紙幣の下面）を識別することによって、当該束Ｔを識別したものとする。
【００４１】
図４に戻り、各カセット４５では、前述したカセットシャッター６０およびステージ６４のそれぞれが、制御部７０に接続されている。
ここで、前述したシャッター１７、リフト４３、本体シャッター６１、シャッター５２、カセットシャッター６０およびステージ６４のそれぞれでは、厳密には、それぞれを移動させる機構（モータ等）が、制御部７０に接続されている。また、前述した紙幣搬送機構７１、搬送機構１６、帯封機構４１、第１搬送機構４２および第２搬送機構４４のそれぞれでは、それぞれにおけるモータ等の駆動部品が、制御部７０に接続されている。
【００４２】
制御部７０は、ばら紙幣処理ユニット２については、紙幣搬送機構７１の駆動を制御することによって、ばら紙幣処理ユニット２内でばら紙幣Ｓを移動させることができる。また、制御部７０は、ばら紙幣処理ユニット２のシャッター１７を開閉することができる。
制御部７０は、搬送機構１６の駆動を制御することによって、ばら紙幣処理ユニット２の整理一時保留部１３におけるばら紙幣Ｓのまとまりを、包装紙幣処理ユニット３まで搬送することができる。
【００４３】
包装紙幣処理ユニット３について、制御部７０は、帯封機構４１の駆動を制御することによって、搬送機構１６によって搬送されてきたばら紙幣Ｓのまとまりを束Ｔにすることができ、第１搬送機構４２の駆動を制御することによって、束Ｔを移動スペース４９まで搬送してリフト４３に受け渡すことができる。制御部７０は、リフト４３を上下移動させることで、リフト４３上の束Ｔを移動スペース４９内で上下させることができる。制御部７０は、第２搬送機構４４の駆動を制御することによって、リフト４３上の束Ｔを束搬送路６３に取り込んだり、束搬送路６３の束Ｔをリフト４３に受け渡したりすることができる。制御部７０は、本体シャッター６１およびカセットシャッター６０のそれぞれを開閉させたり、カセット４５のステージ６４を上下移動させたりすることで、束搬送路６３の束Ｔをカセット４５に収納したり、カセット４５の束Ｔを束搬送路６３に繰り出したりすることができる。また、入出金の際、制御部７０は、シャッター５２を開閉する。
【００４４】
また、前述したメモリ部７２には、ばら紙幣処理ユニット２の各カセット１２における（金種毎の）ばら紙幣Ｓの在庫数（在高）と、包装紙幣処理ユニット３の各カセット４５における（金種毎の）束Ｔの在庫数とが登録されている。つまり、メモリ部７２は、これらの在庫数を管理している。
ばら紙幣処理ユニット２において、入金の際、１枚のばら紙幣Ｓが識別部２０（図２参照）によって識別され、収納先のカセット１２に収納されると、その都度、制御部７０は、メモリ部７２において、該当する（収納先の）カセット１２における在庫数を１枚加算して更新する。逆に、出金の際、カセット１２から取り出された１枚のばら紙幣Ｓが識別部２７によって識別され、筐体１０の外に投出されると、その都度、制御部７０は、メモリ部７２において、当該カセット１２における在庫数を１枚減算して更新する。そして、識別部２０，２７は、ばら紙幣Ｓ（入金口１８から入金されたばら紙幣Ｓまたはカセット１２から出金されたばら紙幣Ｓ）が１枚識別部２０，２７を通過する度に当該ばら紙幣Ｓを１枚ずつカウントする（計数する）計数センサも兼ねている。識別部２０に関し、カセット１２は、識別部２０によって計数されたばら紙幣Ｓを収納し、その計数値を確定させるためのものであることがわかる。
【００４５】
同様に、包装紙幣処理ユニット３において、入金の際、収納先のカセット４５が決まった１つの束Ｔが識別部８３によって識別され、束Ｔが収納されると、その都度、制御部７０は、メモリ部７２において、該当する（収納先の）カセット４５における在庫数を１つ加算して更新する。逆に、出金の際、カセット４５から取り出された１枚の束Ｔが識別部８３によって識別され、筐体４０の外に投出されると、その都度、制御部７０は、メモリ部７２において、当該カセット４５における在庫数を１つ減算して更新する。そして、識別部８３は、束Ｔが１つ識別部８３を通過する度に束Ｔを１つカウントする計数センサも兼ねており、収納または投出が完了した時点で在庫数が更新される。
【００４６】
ここからは、包装紙幣処理ユニット３内で前述した通常処理中にエラーが発生した場合に貨幣処理装置１で実行される処理について説明する。ここでのエラーとは、前述した帯封機構４１、第１搬送機構４２、第２搬送機構４４、リフト４３、本体シャッター６１、シャッター５２およびカセット４５（カセットシャッター６０およびステージ６４）等のそれぞれが、制御部７０の制御どおりに動かなくなったことや、ジャムセンサ７３が束Ｔのジャムを検出したこと等である。制御部７０は、帯封機構４１、第１搬送機構４２、第２搬送機構４４、リフト４３、本体シャッター６１、シャッター５２およびカセット４５（カセットシャッター６０およびステージ６４）等のそれぞれが制御どおりに動かなくなったときや、ジャムセンサ７３が束Ｔのジャムを検出したときに、エラーが発生したと判断する。つまり、ジャムセンサ７３および制御部７０自身が、包装紙幣処理ユニット３での処理中におけるエラーを検知することができる。
【００４７】
図５は、貨幣処理装置１において行われる制御動作の一例を示すフローチャートである。図６は、貨幣処理装置１の表示部７の表示内容の一例を示す図である。図７は、貨幣処理装置１の表示部７の表示内容の別の例を示す図である。
図５を参照して、包装紙幣処理ユニット３において、前述した通常処理中である場合において（ステップＳ１でＹＥＳ）、前述したエラーが発生すると（ステップＳ２でＹＥＳ）、制御部７０は、当該エラーを検知したことに応じて、当該通常処理を中止して束Ｔの移動を途中で止め、表示部７にエラー表示する（ステップＳ３）。ここで、通常処理が中止するということは、収納先に収納されるべき束Ｔや、カセット４５から取り出されて入出金口５３や投出口６５から出金されるべき束Ｔが包装紙幣処理ユニット３内（カセット４５以外の領域）に留まっていることであり、エラーが発生したとき、制御部７０は、当該領域に留まっている束Ｔの金種および数を把握している。
【００４８】
エラー表示は、図６のように、たとえば、「エラーが生じました。詰まった束を回収し、ばらしてからばら紙幣処理ユニットに戻してください。」というメッセージＭと、「ＯＫ」と表示されたタッチキーであるＯＫボタン８５とを含んでいる。このエラー表示を見た係員は、包装紙幣処理ユニット３の筐体４０に設けられたメンテナンス用の扉（図示せず）を開いて筐体４０内にアクセスし、エラーを解除する。
【００４９】
エラーが束Ｔのジャムである場合には、係員は、エラー解除の一環として、詰まった束Ｔが筐体１０の外（機外）へ取り出す。エラーが内部機構の故障である場合には、係員は、エラー解除の一環として、当該内部機構をメンテナンスするとともに、筐体１０内でカセット４５外にある束Ｔを機外へ取り出す。つまり、いずれのエラーであっても、エラー解除の一環として、包装紙幣処理ユニット３内におけるカセット４５以外の領域に留まっている束Ｔが、係員によって機外へ取り出される（回収される）。
【００５０】
図５を参照して、エラーが解除され（ステップＳ４でＹＥＳ）、係員が先ほどのＯＫボタン８５を押すと（ステップＳ５でＹＥＳ）、制御部７０は、ばら紙幣処理ユニット２のシャッター１７（図１および図２参照）を開いて入金口１８を開放し、一方で、包装紙幣処理ユニット３のシャッター５２（図１および図３参照）を閉じて、入出金口５３を閉鎖する（ステップＳ６）。なお、シャッター５２が既に閉じている場合には、制御部７０は、シャッター５２を引き続き閉じたままにする。
【００５１】
ステップＳ６において、制御部７０は、エラー解除により機外へ取り出された束Ｔがばら紙幣Ｓにばらされてから機内に戻されるように、入出金口５３を閉じて入金口１８を開き、入金口１８（入金口１８のみ）からの（ばら紙幣Ｓの）戻し入れを受け付けている。
そこで、ばら紙幣処理ユニット２において、シャッター１７（入金口１８）が開いた後に、係員が、先程のエラー解除で取り出した（回収した）束Ｔの帯封を解いて、当該束Ｔをばら紙幣Ｓへとばらしてから、これらのばら紙幣Ｓを、（開かれた）入金口１８から入金部１１にセット（入金）する（図２参照）。ここで、入金部１１には、ばら紙幣Ｓがセットされたことを検知して制御部７０に伝えるセンサ（図示せず）が設けられている。
【００５２】
そして、制御部７０は、入金部１１へのばら紙幣Ｓのセット（入金）があれば（ステップＳ７でＹＥＳ）、ばら紙幣処理ユニット２における入金処理（戻し処理）を実行する（ステップＳ８）。この際、制御部７０は、入金部１１にセットされたばら紙幣Ｓを、前述したように、入金路１９内で搬送し、その途中で識別部２０によって識別および計数してから、該当する金種のカセット１２に収納する（図２参照）。この場合、エラー解除で束Ｔが回収されたとしても、当該束Ｔの返却先が、ばら紙幣処理ユニット２の入金口１８だけになっているので、当該返却先を間違えずに済む。
【００５３】
ここで、識別部２０は、前述したように、入金路１９内を搬送されるばら紙幣Ｓを1枚ずつ識別するとともに計数している。そのため、制御部７０は、ここでの入金処理における収納先のカセット１２におけるばら紙幣Ｓの増加枚数（識別部２０による計数結果であり、当該入金処理で収納先のカセット１２に収納されたばら紙幣Ｓの数）を把握できる。よって、制御部７０は、入金処理が実行されたことに応じて、メモリ部７２において、収納先のカセット４５についてのばら紙幣Ｓの在庫数を（当該増加枚数を加算することによって）更新する（ステップＳ９）。
【００５４】
次いで、制御部７０は、当該増加枚数と、エラー解除の際に回収された束Ｔを構成するばら紙幣Ｓの枚数（総数）とが一致するかどうかを確認する（ステップＳ１０）。換言すれば、束Ｔが回収されてからばらされた後に入金口１８に入金されるまでの間に、当該束Ｔからばら紙幣Ｓの漏れ（不正等によるばら紙幣Ｓの抜き取り等）がないか否かを確認する。制御部７０は、エラーが発生したときに包装紙幣処理ユニット３内（カセット４５以外の領域）に留まっている束Ｔの数（エラー解除の際に回収されるべき束Ｔの数）を把握しているから、当該束Ｔを構成するばら紙幣の数（前述した総数）も把握している。
【００５５】
漏れがなければ、つまり、前記増加枚数と前記総数とが一致していれば（ステップＳ１０でＹＥＳ）、カセット４５における束Ｔの在庫数を更新する（ステップＳ１１）。具体的には、当該増加枚数に基づいて、回収された束Ｔの数を算出する。回収された束Ｔの数は、正規の（ばら紙幣Ｓが不足していない）束Ｔを構成するばら紙幣Ｓの枚数（前述した所定数）によって当該増加枚数を割ることによって得られた値である。回収された束Ｔの数の算出後、制御部７０は、メモリ部７２において、該当する（同一金種の）カセット４５における束Ｔの在庫数を（回収された束Ｔの数で減算することによって）更新する（ステップＳ１１）。
【００５６】
このように、制御部７０は、ステップＳ９およびＳ１１において、ステップＳ８での入金処理でカセット１２に収納されたばら紙幣Ｓの数に応じて、メモリ部７２において、カセット４５の束Ｔの在庫数を減算してカセット１２のばら紙幣Ｓの在庫数を加算する。具体的に、たとえば１束あたり１００枚（前述した所定数が１００）のばら紙幣Ｓを有する束Ｔがエラー解除により３つ（３束）機外へ取り出された場合、３つの束Ｔがばらされてから入金口１８に入金されてステップＳ８での入金処理が実施されたとする。この場合、入金処理における収納先のカセット１２では、在庫数が３００枚（＝１００枚×３束）加算され（ステップＳ９）、エラー発生直前に当該３つの束Ｔを収納していたカセット４５では、入金処理後に、在庫数が３束（＝３００枚÷１００枚）減算される（ステップＳ１１）。
【００５７】
つまり、ステップＳ９およびＳ１１では、エラーによって回収された束Ｔを収納していた（包装紙幣処理ユニット３の）カセット４５における束Ｔの在庫数と、当該束Ｔを構成していたばら紙幣Ｓを収納した（ばら紙幣処理ユニット２の）カセット１２におけるばら紙幣Ｓの在庫数との両方が正しく更新される。ここでの在庫数の更新によって、束Ｔの在庫数がばら紙幣Ｓの在庫数に移し変えられる（在高移動が行われる）ので、ばら紙幣処理ユニット２および包装紙幣処理ユニット３のそれぞれでは、包装紙幣処理ユニット３でのエラーの前後に亘って、カセット１２およびカセット４５のそれぞれにおける在庫数を正確に管理することができる。
【００５８】
なお、所定時間が経過しても、エラーが解除されなかったり（ステップＳ４でＮＯ）、ＯＫボタン８５が押下されなかったり（ステップＳ５でＮＯ）、ばら紙幣処理ユニット２に入金がなかったりした場合には（ステップＳ７でＮＯ）、制御部７０は、表示部７に警告メッセージを表示して、係員に、エラー解除やＯＫボタン８５の押下や入金を催促する（ステップＳ１２）。
【００５９】
また、ステップＳ１０において、エラー解除後に入金された紙幣Ｓについての前述した増加枚数と、エラー解除の際に回収された束Ｔを構成するばら紙幣Ｓの枚数（総数）とが一致しなかった場合には（ステップＳ１０でＮＯ）、制御部７０は、エラー解除で回収された束Ｔのばら紙幣Ｓが全て入金されていない旨の警告メッセージを表示部７に表示する（ステップＳ１３）。そうすれば、束Ｔからのばら紙幣Ｓの脱落といったトラブルや、束Ｔからのばら紙幣Ｓの抜き取りといった不正を早期に発見することができる。さらに、このような警告メッセージが表示されるようにすることによって、当該不正をしようという考えを人々に起こさせないようにすることができるという効果（不正を抑止する効果）を得ることもできる。
【００６０】
以上のように、貨幣処理装置１では、包装紙幣処理ユニット３での処理中に発生したエラーの解除により束Ｔが機外へ取り出された場合、当該束Ｔを機内に戻すためには、ばら紙幣Ｓにばらしてからばら紙幣処理ユニット２の入金口１８に入金しなければならない。そのため、当該束Ｔを構成する全てのばら紙幣Ｓが、入金口１８から入金されて識別部２０によって１枚ずつ計数される。つまり、当該束Ｔを機内に戻す場合には、当該束Ｔを構成する全てのばら紙幣Ｓに対して機械的なチェックが実施される。これにより、エラーの解除により機外へ取り出された束Ｔを構成する全てのばら紙幣Ｓが正しく機内に戻されたのか否かを確認することができる。その結果、貨幣処理装置１では、エラーの際に取り出された紙幣を機内へ戻す場合に当該紙幣を厳格に管理することができる。
【００６１】
また、ステップＳ３におけるエラー表示は、図７のように、たとえば、「エラーが生じました。詰まった束を回収し、以下のどちらかの方法で戻してください。」というメッセージＮと、「束のまま包装紙幣処理ユニットに戻す。」と表示されたタッチキーである第１ボタン８６（選択手段）と、「束をばらしてからばら紙幣処理ユニットに戻す。」と表示されたタッチキーである第２ボタン８７（選択手段）とを含んでいてもよい。このように、エラー解除により機外へ取り出された束Ｔを入出金口５３から入金するか、ばら紙幣Ｓにばらしてから入金口１８から入金するかを、第１ボタン８６および第２ボタン８７によって選択することができる。
【００６２】
このエラー表示を見た係員は、先程と同様に、エラーを解除する（前述したステップＳ４）。そして、回収した束Ｔが多いことから各束Ｔをばらすのが面倒である（回収した紙幣の総数が多い）等の理由がある場合には、係員は、第１ボタン８６を押す（前述したステップＳ５）。すると、先程のステップＳ６〜Ｓ１３の処理とは異なり、制御部７０は、ばら紙幣処理ユニット２のシャッター１７（入金口１８）を閉じて、包装紙幣処理ユニット３のシャッター５２（入出金口５３）を開く。つまり、エラー解除により機外へ取り出された束Ｔを入出金口５３から入金することが第１ボタン８５の押下によって選択された場合に、制御部７０は、入金口１８を閉じて入出金口５３を開き、入出金口５３からの（束Ｔの）戻し入れを受け付ける。そのため、係員は、回収した束Ｔを入出金口５３経由で包装紙幣処理ユニット３に入金する（図３参照）。入金された束Ｔは、識別部８３による識別を受けた後に、元のカセット４５に戻される（図３参照）。この場合、メモリ部７２における在庫数に変更（更新）はない。
【００６３】
一方、紙幣の管理の厳正化を重視する場合には、係員が第２ボタン８７を押すと（前述したステップＳ５でＹＥＳ）、先程のステップＳ６〜Ｓ１３の処理が実施される。
このように、エラー解除により機外へ取り出された束Ｔを、束Ｔのままの状態で入出金口５３から入金するか（包装紙幣処理ユニット３に直接戻すか）、ばら紙幣Ｓにばらしてから入金口１８から入金するか（ばら紙幣処理ユニット２に戻すか）を、状況に応じて任意に選択することができるので、使い勝手がよい。
【００６４】
包装硬貨処理ユニット４およびばら硬貨処理ユニット５について、簡単に説明する。図１を参照して、ばら硬貨処理ユニット５は、その上面のホッパー９０を介して外部から入金されたばら硬貨を受け入れることができ、受け入れたばら硬貨を金種毎に振り分けて保管することができる。また、ばら硬貨処理ユニット５は、受け入れたばかりのばら硬貨や、今まで保管していたばら硬貨を包装硬貨処理ユニット４に受け渡すことができる。包装硬貨処理ユニット４は、ばら硬貨処理ユニット５から受け取ったばら硬貨を包装して包装硬貨にし、金種毎の包装硬貨を保管したり、出金口９１から出金したりすることができる。
【００６５】
この発明は、以上の実施形態の内容に限定されるものではなく、請求項記載の範囲内において種々の変更が可能である。
たとえば、エラー解除の際に回収された束Ｔを、ばら紙幣Ｓにばらしてから、ばら紙幣処理ユニット２の入金口１８に入金する場合、入金されたばら紙幣Ｓは、カセット１２に収納されることなく、整理一時保留部１３経由で包装紙幣処理ユニット３に搬送されて、再度帯封されて束Ｔになってもよい。つまり、エラー解除により機外へ取り出された束Ｔは、ばら紙幣Ｓにばらされた状態で機内に戻されても、帯封機構４１によって元通りの状態（束Ｔの状態）に戻される。そのため、エラー解除により機外へ取り出された束Ｔを、元通りの状態に戻してから元のカセット４５に収納し直すことができるので、包装紙幣処理ユニット３でエラーが発生しても、包装紙幣処理ユニット３をエラー発生前の状態に戻すことができる。
【００６６】
また、前述した実施形態では、包装紙幣処理ユニット３に束Ｔを入金することができたが、包装紙幣処理ユニット３では束Ｔが入金できないようになっていてもよい。つまり、包装紙幣処理ユニット３に入金される紙幣は、ばら紙幣処理ユニット２経由で取り込まれるばら紙幣Ｓだけにしてもよい。そうすれば、束Ｔを構成することとなるばら紙幣Ｓの全てが、ばら紙幣処理ユニット２において識別部２０によるチェックを受けてから帯封機構４１によって帯封されることから、管理のさらなる厳正化を図ることができる。
【００６７】
また、帯封処理毎に束Ｔの帯封に付した連番や、帯封に付された印字データを利用して、エラー解除で取り出された束Ｔを管理（追跡）してもよい。
また、貨幣処理装置１では、ばら紙幣処理ユニット２および包装紙幣処理ユニット３と、包装硬貨処理ユニット４およびばら硬貨処理ユニット５とが揃っている（図１参照）。しかし、本発明は、ばら紙幣処理ユニット２および包装紙幣処理ユニット３だけで構成された貨幣処理装置１や、包装硬貨処理ユニット４およびばら硬貨処理ユニット５だけで構成された貨幣処理装置１にも適用可能である。
【００６８】
また、前述した制御部７０は、貨幣処理装置１全体で１つ設けられているように説明されているが、ばら紙幣処理ユニット２、包装紙幣処理ユニット３、包装硬貨処理ユニット４およびばら硬貨処理ユニット５のそれぞれに設けられた制御部（「ユニット制御部」ということにする）のまとまりであってもよい。この場合、それぞれのユニット制御部は、他のユニット制御部と通信可能である。
【００６９】
また、メモリ部７２は、ばら紙幣Ｓおよび束Ｔの在庫数だけでなく、ばら硬貨や包装硬貨の在庫数も管理している。メモリ部７２は、ばら紙幣処理ユニット２、包装紙幣処理ユニット３、包装硬貨処理ユニット４およびばら硬貨処理ユニット５のいずれかに設けられていてもよい。または、メモリ部７２は、ばら紙幣Ｓの在庫数を管理する第１ユニットメモリ部と、束Ｔの在庫数を管理する第２ユニットメモリ部と、ばら硬貨の在庫数を管理する第３ユニットメモリ部と、包装硬貨の在庫数を管理する第４ユニットメモリ部とに分かれていてもよい。この場合、第１ユニットメモリ部は、ばら紙幣処理ユニット２に設けられ、第２ユニットメモリ部は、包装紙幣処理ユニット３に設けられ、第４ユニットメモリ部は、包装硬貨処理ユニット４に設けられ、第３ユニットメモリ部は、ばら硬貨処理ユニット５に設けられているとよい。
【００７０】
また、この発明は、出納機等以外に、貨幣の入出金処理を行う両替機やＡＴＭ等にも適用できる。
【符号の説明】
【００７１】
１  貨幣処理装置
２  ばら紙幣処理ユニット
３  包装紙幣処理ユニット
４  包装硬貨処理ユニット
５  ばら硬貨処理ユニット
１２  カセット
１６  搬送機構
１８  入金口
２０  識別部
４１  帯封機構
４５  カセット
５３  入出金口
７０  制御部
７１  紙幣搬送機構
７２  メモリ部
７３  ジャムセンサ
８６  第１ボタン
８７  第２ボタン
Ｓ  ばら紙幣
Ｔ  包装紙幣（束）
【図１】
0005983989.tif 000002
【図２】
0005983989.tif 000003
【図３】
0005983989.tif 000004
【図４】
0005983989.tif 000005
【図５】
0005983989.tif 000006
【図６】
0005983989.tif 000007
【図７】
0005983989.tif 000008